(57)【要約】  【課題】  本体部を正立させた状態で、モニタ部を本体部に対して左右両側、及び上側に配置可能にする。  【解決手段】  被写体からの光を集光するレンズ１０ａ、及びレンズ１０ａで集光された光を電気信号に変換する撮像素子を有し、レンズ１０ａの光軸に略垂直な外面１ａを有している本体部１と、撮像部１０により撮像された撮像画像を表示するモニタ部２と、モニタ部２及び本体部１を連結する連結部３とを備える撮像装置において、レンズ１０ａ光軸に略平行であり、連結部３を外面１ａに支持する第１軸部４１と、第１軸部４１に略垂直であり、連結部３に支承されている第２軸部４２と、第２軸部４２に略垂直であり、モニタ部２を第２軸部４２に支持する第３軸部４３とを備える。【選択図】        図１
2005184559.tif 000002
【特許請求の範囲】
【請求項１】
レンズで集光し、撮像を行う撮像部を有し、該撮像部の光軸に略垂直な外面を有している本体部と、
前記撮像部により撮像された撮像画像を表示するモニタ部と、該モニタ部及び前記本体部を連結する連結部とを備える撮像装置において、
前記光軸に略平行であり、前記連結部を前記外面に、回動可能に支持する第１軸部と、
該第１軸部に略垂直であり、前記連結部に支承されている第２軸部と、
該第２軸部に略垂直であり、前記モニタ部を前記第２軸部に、回動可能に支持する第３軸部とを備えることを特徴とする撮像装置。
【請求項２】
前記モニタ部は略長方形であり、
前記第３軸部は、前記モニタ部の長辺に略平行である請求項１に記載の撮像装置。
【請求項３】
前記レンズは、前記外面に設けてあり、
前記連結部は、前記本体部に対して非回動の状態で、前記レンズを覆い、回動の状態で、前記レンズを覆わないカバー部を備える請求項１又は請求項２に記載の撮像装置。
【請求項４】
前記本体部は把持部を備え、
該把持部の形状は、第１軸部の軸線を含む対称面に関して対称である請求項１乃至請求項３のいずれか一つに記載の撮像装置。
【請求項５】
前記本体部は、前記対称面に関して面対称となる箇所、又は前記対称面と本体部とが交わる箇所に、撮像に係る操作部を有する請求項４に記載の撮像装置。
【発明の詳細な説明】
【技術分野】
【０００１】
本発明は、ビデオカメラ、又はカメラ等の撮像装置に関し、特に撮像部により撮像された画像を表示するモニタ部を備える撮像装置に関する。
【背景技術】
【０００２】
撮像装置は、光を電気信号に変換する撮像素子、例えばＣＣＤ（Ｃｈａｒｇｅ  Ｃｏｕｐｌｅｄ  Ｄｅｖｉｃｅ）を有する撮像部を備える本体部と、撮像部により撮像された画像を表示するモニタ部とを備えており、撮像者は、モニタ部に表示される画像を確認することにより、撮像が正常に行われていることを知ることができ、所望する被写体の画像を記録することができる（特許文献１）。
【０００３】
図９は、従来の撮像装置を模式的に示す斜視図である。撮像装置が備える略直方体形状の本体部３０１は、レンズ、及び光を電気信号に変換する撮像素子３１０ｂ夫々を備え、撮像部により撮像された画像を表示する液晶ディスプレイであるモニタ部３０２と連結している。モニタ部３０２は、本体部３０１に連結支持軸３０４を介して連結されており、本体部３０１の左側面３０１ａにモニタ部３０２の表示部３２０を対向させて閉じた状態から、図９（ａ）中のＡ方向に略９０度開閉できるように構成されている。更に、連結支持軸３０４は、連結支持軸３０４に略垂直な直線を軸として、モニタ部３０２を、図９中のＢ方向に略１８０度回動可能としている。
【０００４】
このように構成される撮像装置においては、本体部３０１からモニタ部３０２を略９０度開き、適宜モニタ部３０２をＢ方向に回動させることにより、撮像者は楽な姿勢で、撮像画像をモニタ部３０２により確認しながら被写体を撮像することができる。
【特許文献１】特開２００１−２１８０８７号公報
【発明の開示】
【発明が解決しようとする課題】
【０００５】
しかしながら、従来の撮像装置においては、本体部３０１に対するモニタ部３０２の回動軸は２本のみであり、回動可能な角度は、Ａ方向に略９０度、Ｂ方向に略１８０度と制限されているため、モニタ部の配置位置の自由度が低く、好適に撮像装置を操作し撮像することができない場合があるという問題があった。例えば、図９（ｂ）に示すように、モニタ部３０２を縦向きにして撮像する場合、撮像者は好適に撮像装置を操作することができない。
【０００６】
また、従来の撮像装置においては、図９（ａ）に示すように背面視で本体部３０１の左側にモニタ部３０２が位置するため、左利きの撮像者が左手で本体部３０１を把持し、撮像装置を使用する場合、左手によって表示部３２０が遮られ、好適に撮像装置を用いて撮像することができないという問題があった。
【０００７】
本発明は、斯かる事情に鑑みてなされたものであり、本体部に対してモニタ部を配置することができる自由度を高めることにより、好適に撮像装置を操作することが可能となる撮像装置を提供することを目的とする。
【０００８】
また、本発明は、左手で撮像装置を操作する場合であっても、右手で撮像装置を操作する場合と同程度のモニタ部の視認性、及び操作性を得ることが可能となる撮像装置を提供することを他の目的とする。
【課題を解決するための手段】
【０００９】
本発明に係る撮像装置は、レンズで集光し、撮像を行う撮像部を有し、該撮像部の光軸に略垂直な外面を有している本体部と、前記撮像部により撮像された撮像画像を表示するモニタ部と、該モニタ部及び前記本体部を連結する連結部とを備える撮像装置において、前記光軸に略平行であり、前記連結部を前記外面に、回動可能に支持する第１軸部と、該第１軸部に略垂直であり、前記連結部に支承されている第２軸部と、該第２軸部に略垂直であり、前記モニタ部を前記第２軸部に、回動可能に支持する第３軸部とを備えることを特徴とする。
【００１０】
本発明にあっては、第１軸部を回動軸として、連結部は本体部に対して回動可能であり、第１軸部に略垂直な第２軸部、及び第２軸部に略垂直な第３軸部を回動軸として、モニタ部は連結部に対して回動することができる。従って、第１乃至第３軸部を回動軸として、モニタ部は本体部に対して回動することができる。
【００１１】
特に、第１軸部を回動軸として、モニタ部を本体部に対して回動させることにより、モニタ部を、正立した本体部の左側及び右側に配置することができる。従って、左手で本体部を把持する場合であっても、右手で本体部を把持する場合と同程度のモニタ部の視認性を得ることが可能となる。つまり、背面視で本体部の右側にモニタ部を配置することにより、本体部を左手で把持する際、モニタ部が左手で遮られることがなく、また、背面視で本体部の左側にモニタ部を配置することにより、本体部を右手で把持する際、モニタ部が右手で遮られることがなくなる。
【００１２】
また、第１軸部を回動軸として、モニタ部を本体部に対して回動させることにより、モニタ部を、正立した本体部の上側に配置することができる。
【００１３】
本発明に係る撮像装置において、前記モニタ部は略長方形であり、前記第３軸部は、前記モニタ部の長辺に略平行であることを特徴とする。
【００１４】
本発明にあっては、第３軸部はモニタ部の長辺に略平行である。従って、モニタ部の長辺に略平行な第３軸部を回動軸として、モニタ部を本体部に対して回動させ、配置することができる。
【００１５】
また、正立した本体部の左側又は右側、若しくは上側に、モニタ部を配置することにより、モニタ部の長辺を水平又は鉛直、つまりモニタ部を縦向き又は横向きにして、撮像画像をモニタ部で確認することができる。
【００１６】
本発明に係る撮像装置において、前記レンズは、前記外面に設けてあり、前記連結部は、前記本体部に対して非回動の状態で、前記レンズを覆い、回動の状態で、前記レンズを覆わないカバー部を備えることを特徴とする。
【００１７】
本発明にあっては、連結部を本体部に対して非回動の状態にする場合、レンズを覆うことができ、回動の状態にする場合、レンズを覆わない状態にすることができる。従って、第１軸部を軸として連結部を回動させることにより、モニタ部の本体部に対する開閉と、カバー部によるレンズの開閉とを同時に行うことができる。
【００１８】
本発明に係る撮像装置において、前記本体部は把持部を備え、該把持部の形状は、第１軸部の軸線を含む対称面に関して対称であることを特徴とする。
【００１９】
本発明にあっては、本体部が有する把持部の形状は、第１軸部の軸線を含む対称面に関して対称、即ち背面視で、本体部は左右対称形である。従って、撮像者が左手で把持部を把持する場合であっても、右手で把持部を把持する場合と同程度の把持感覚を得ることができる。
【００２０】
本発明に係る撮像装置において、前記本体部は、前記対称面に関して面対称となる箇所、又は前記対称面と本体部とが交わる箇所に、撮像に係る操作部を有することを特徴とする。
【００２１】
本発明において、本体部は、第１軸部の軸線を含む対称面に関して面対称となる箇所、又は該対称面と本体部とが交わる箇所、即ち、背面視で、本体部の左右対称となる箇所又は、中央部となる箇所に、撮像に係る操作部を有する。従って、撮像者が左手で撮像装置を操作する場合であっても、右手で撮像装置を操作する場合と同程度の操作性を得ることができる。
【発明の効果】
【００２２】
本発明にあっては、撮像の態様に応じて、モニタ部を本体部の左右又は上側に配置することができ、撮像者は、好適に撮像を行うことが可能となる。
【００２３】
本発明にあっては、本体部を正立させた状態で、モニタ部の向きを縦向き又は横向きにすることができる。
【００２４】
本発明にあっては、モニタ部の開閉に連動させて、レンズの同時開閉を行うことができる。
【００２５】
本発明にあっては、把持部を左手で把持する場合であっても、右手で把持する場合と同程度の把持感覚を得ることができる。
【００２６】
本発明にあっては、撮像装置を左手で操作する場合であっても、右手で操作する場合と同程度の操作性を得ることができる。
【発明を実施するための最良の形態】
【００２７】
以下に、本発明をその実施の形態を示す図面に基づいて詳述する。
図１は、本発明に係る撮像装置を模式的に示した図であり、図中（ａ）は、背面図、図中（ｂ）は右側面図、図中（ｃ）は、正面図、図中（ｄ）は、Ｉ−Ｉ線断面図を示している。本発明に係る撮像装置は、撮像部１０を有する本体部１と、モニタ部２と、本体部１及びモニタ部２を連結する連結部３とを備えている。
【００２８】
本体部１は、略直方体形状の薄いカード型であり、撮像部１０と、撮像部１０による撮像画像を記録する記録媒体１７と、撮像装置を駆動するための電池１９とを備えている。撮像部１０は、被写体からの光を集光するレンズ１０ａと、レンズ１０ａで集光した光を電気信号に変換する撮像素子１０ｂ、例えばＣＣＤとを備えている。記録媒体１７は、フラッシュ・メモリ・カード、例えばＣＦ（Ｃｏｍｐａｃｔ  Ｆｌａｓｈ）カードである。記録媒体１７は、本体部１が背面視で右側面１ｃに有する挿入口１８から挿入されて、本体部１に取り付けられている。
【００２９】
また、本体部１は撮像部１０の光軸、即ちレンズ１０ａの光軸に略垂直な長方形の外面１ａ、１ｂを有しており、一方の外面１ｂでレンズ１０ａが露出している。
【００３０】
更に、本体部１は、把持部１１を備えている。把持部１１は、撮像装置を使用する場合に、撮像者が本体部１を把持する部分である。把持部１１の形状は、図１（ｄ）に示すように、第１軸部４１の軸線を含む対称面αに関して対称な形状、即ち本体部１を正立させた状態で、左右対称となる形状である。
【００３１】
更にまた、本体部１は、図３（ａ）〜（ｃ）に示すように、撮像に係る操作部５ａ、５ｂ、即ち撮像の開始、終了、ズーム・アウト又はズーム・イン等を操作するボタンを、外面１ａに備えている。操作部５ａ、５ｂは、対称面と本体部１とが交わる箇所、特に正立した本体部１の外面１ａの中央部に設けられている。
【００３２】
モニタ部２は、撮像部１０により撮像された画像を表示する液晶ディスプレイである表示部２０及び外枠２１を備えている。表示部２０及び外枠２１の形状は、いずれも長方形である。
【００３３】
連結部３は、外面１ａに対向配置されており、特に、レンズ１０ａが露出している外面１ｂ部分の裏側に当たる部分に取り付けられている。連結部３の形状は、外面１ａの短辺部分の外周形状に合致する長方形断面を有する略直方体である。連結部３が有する一方の長辺３ａには、モニタ部２が有する一方の短辺２ａが、第２及び第３軸部４２、４３を介して連結している。モニタ部２及び連結部３全体は、外面１ａの外周形状に合致するように形成されている。
【００３４】
図１中４１は、レンズ１０ａの光軸に略平行な第１軸部であり、連結部３を本体部１の外面１ａに回転可能に支持している。第１軸部４１は、レンズ１０ａの光軸上に位置し、連結部３の略中央部に繋がる。
【００３５】
具体的には、第１軸部４１は、本体部１の外面１ａに突設した筒状の部材である。連結部３は、本体部１に対向している外面３ｂの略中央部に支持孔３１を有しており、支持孔３１に第１軸部４１が、回動可能に挿通している。支持孔３１に挿通している第１軸部４１には、ｃリング４１ａが取り付けられ、第１軸部４１の支持孔３１からの抜け止めがなされている。
【００３６】
また、連結部３は、第１軸部４１に略垂直な筒状部材である第２軸部４２を支承している。連結部３は、一方の長辺３ａの、略中央部に凹部３０ａを有しており、凹部３０ａが有する外面のうち、長辺３ａに略垂直な２つの外面に、第２軸部４２を挿通する支持孔を有している。前記支持孔に挿通している第２軸部４２は、２組の軸受金具４２ａ、４２ｂに支承されている。軸受金具４２ａ、４２ｂは、連結部３にビス止めされている。
【００３７】
第２軸部４２は、第２軸部４２に略垂直な第３軸部４３を、回動可能に支持している。具体的には、第３軸部４３は、モニタ部２の短辺２ａに突設した筒状部材である。第２軸部４２は、略中央部に、第３軸部４３を回動可能に支持する支持孔を有しており、前記支持孔に第３軸部４３が回動可能に挿通している。第３軸部４３の端部には、ｃリング４３ａが取り付けられ、第２軸部４２からの抜け止めがなされている。
【００３８】
図２は、撮像装置の内部構成を示すブロック図である。本体部１は、レンズ１０ａと、撮像素子１０ｂと、撮像素子１０ｂを制御し、撮像素子１０ｂからの電気信号をデジタル信号の画像データに変換する撮像信号処理回路１２と、画像データをＭＰＥＧ２フォーマット又はＭＰＥＧ１フォーマット等の圧縮伸張方式によって圧縮又は伸張する圧縮伸張回路１３と、圧縮した画像データを適切に処理し、処理した画像データを記録媒体１７に送る記録再生信号処理回路１６と、画像データをモニタ部２にビデオ出力するためのビデオ出力回路１５と、図示しない電池を備えている。更に、撮像素子１０ｂにより得られた画像を回転させる回路である画像処理回路１４を、本体部１は備えている。特に、画像処理回路１４は、画像を９０度、又は１８０度回転させることができる。
【００３９】
このように構成される撮像装置にあっては、被写体からの光はレンズ１０ａにより集光され、撮像素子１０ｂに結像し、電気信号に変換される。変換された電気信号は画像データとして、撮像素子１０ｂを制御する撮像信号処理回路１２により取得され、圧縮伸張回路１３に送られる。該画像データは、圧縮伸張回路１３によりＭＰＥＧ２フォーマット又はＭＰＥＧ１フォーマット等の圧縮伸張方式によって圧縮され、記録再生信号処理回路１６に送られる。記録再生信号処理回路１６は、圧縮された画像データを記録媒体１７に記録する。一方、圧縮伸張回路１３に送られた画像データは、ビデオ出力回路１５に送られ、ビデオ出力回路１５によって画像表示フォーマットに適合した信号に変換され、変換された画像データはモニタ部２に送られ、撮像画像としてモニタ部２に表示される。
【００４０】
また、連結部３は、第１軸部４１を回動軸（図１中Ａ線）として、本体部１に対して回動し、モニタ部２は、第２軸部４２及び第３軸部４３を回動軸（図１中Ｂ線及びＣ線）として、連結部３に対して回動することができる。以下、モニタ部２の本体部１に対する回動について、具体的に説明する。
【００４１】
図３は、第２軸部４２及び第３軸部４３を回動軸として、モニタ部２を本体部１に対して回動させた状態を模式的に示す斜視図である。
【００４２】
図３（ａ）は、モニタ部２の表示部２０を、本体部１の外面１ａに対向させて閉じた状態から、第２軸部４２を回動軸（図中Ｂ線）として、モニタ部２を連結部３に対して９０度、矢印方向に回動させた状態を示している。この場合、モニタ部２の表示部２０は、下方を向いている。
【００４３】
図３（ｂ）は、図３（ａ）に示した状態から、第３軸部４３を回動軸（図中Ｃ線）として、モニタ部２を第２軸部４２に対して、反時計回りに９０度超、回動させた状態を示している。図３（ｃ）は、図３（ｂ）に示した状態から、第３軸部４３を回動軸として、モニタ部２を更に、反時計回りに回動させた状態を示している。この場合、表示部２０は、上方を向いている。
【００４４】
図３（ｄ）は、図３（ｃ）に示した状態から、第２軸部４２を回動軸として、モニタ部２を連結部３に対して、矢印方向に９０度回動させて、閉じた状態を示している。この場合、モニタ部２は、表示部２０が背面方向を向いた状態で、本体部１に閉じている。
【００４５】
図４は、第１軸部４１を回動軸（図１中Ａ線）として、モニタ部２を本体部１に対して時計回りに回動させ、左側に配置した状態を模式的に示す背面図である。上図は、図３（ｄ）に示した状態から、第１軸部４１を回動軸として、モニタ部２を本体部１に対して、矢印方向（時計回り）に略４５度回動させた状態を示し、下図は、上図に示した状態から、モニタ部２を更に時計回りに略４５度回動させ、正立した本体部１に対して背面視で左側に配置した状態を示している。図４の下図に示す状態にあっては、撮像者が右手で本体部１を把持する場合、モニタ部２が右手で遮られることがない。つまり、右利きの撮像者にとって、好適な状態となる。
【００４６】
図５は、第１軸部４１を回動軸（図１中Ａ線）として、モニタ部２を本体部１に対して反時計回りに回動させ、右側に配置した状態を模式的に示す背面図である。上図は、図３（ｄ）に示した状態から、第１軸部４１を回動軸として、モニタ部２を本体部１に対して、矢印方向（反時計回り）に略４５度回動させた状態を示し、下図は、上図に示した状態から、モニタ部２を更に反時計回りに略４５度回動させ、正立した本体部１に対して背面視で右側に配置した状態を示している。図５の下図に示す状態にあっては、撮像者が左手で本体部１を把持する場合であっても、モニタ部２が左手で遮られることがない。つまり、左利きの撮像者にとって、好適な状態となる。
【００４７】
本体部１の右側にモニタ部２が位置している場合、画像データを、一旦画像処理回路１４に送り、画像データを１８０度回転させる処理を行い、１８０度回転させた画像を、モニタ部２の表示部２０に表示する。
【００４８】
図４の下図に示した状態では、正立した撮像画像が表示部２０に表示されていたモニタ部２が、図５の下図に示した状態では１８０回転した状態となっている。一方、表示部２０に表示される画像も、画像処理回路１４により１８０度回転した状態となっている。従って、図５下図に示す状態においても、表示部２０には正立した撮像画像が表示される。
【００４９】
図６は、第１軸部４１を回動軸として、モニタ部２を本体部１に対して回動させ、上側に配置した状態を模式的に示す背面図である。つまり、図３（ｄ）に示した状態から、第１軸部４１を回動軸として、モニタ部２を本体部１に対して矢印方向（時計回り又は反時計回り）に１８０度回動させ、正立した本体部１に対して背面視で上側に配置した状態を示している。
【００５０】
図６の下図に示した状態にあっては、モニタ部２を縦向きにした状態で、撮像を行うことができる。モニタ部２を本体部１の上側に配置した場合、左手で操作した場合であっても、右手で操作した場合と、同程度のモニタ部２の視認性を得ることができる。
【００５１】
また、図４の下図に示した状態からモニタ部２を時計回りに回動させ、又は図５の下図に示した状態からモニタ部２を反時計回りに回動させるいずれの場合であっても、モニタ部２を９０度回動させて、本体部１の上側に配置することができる。従って、撮像者の効き腕によらず、同じような操作手順で、モニタ部２を本体部１の上側に配置することができる。
【００５２】
本体部１の上側にモニタ部２が位置している場合、画像データを、一旦画像処理回路１４に送り、画像データを９０度回転させる処理を行い、９０度回転させた画像を、モニタ部２の表示部２０に表示する。
【００５３】
図４の下図に示した状態においては、正立した撮像画像が表示部２０に表示されていたモニタ部２が、図６の下図に示した状態においては、９０回転した状態となっている。一方、表示部２０に表示される画像も、画像処理回路１４により９０度回転した状態となっている。従って、図６に示す状態においても、表示部２０には正立した撮像画像が表示される。
【００５４】
本発明にあっては、把持部１１の形状は、本体部１を正立させた状態で左右対称であるため、撮像者が左手で把持部１１を把持する場合であっても、撮像者が右手で把持部１１を把持する場合と同程度の把持感覚を得ることができる。
【００５５】
また、操作部５ａ、５ｂは、本体部１を正立させた状態で外面１ａの中央部に設けられているため、撮像者が左手で操作部５ａ、５ｂを操作する場合であっても、撮像者が右手で操作部５ａ、５ｂを操作する場合と同程度の操作性を得ることができる。
【００５６】
なお、本発明にあっては、撮像素子が、本体部に対して固定されているが、これに限るものではなく、本体部に対して回動可能であっても良い。つまり、第１軸部を回動軸としたモニタ部の回動に連動して、撮像素子を本体部に対して回動させても良い。本体部に対するモニタ部の位置を検知し、撮像素子を本体部に対して回動させる手段は、公知の技術である。
【００５７】
更にまた、本実施の形態においては、撮像装置として、ビデオカメラを示したが、これに限るものではなく、静止画像を撮像するカメラ、カメラ付き携帯電話等であっても良い。
【００５８】
図７は、実施の形態で示した撮像装置の変形例を模式的に示す背面図である。本発明にあっては、表示部をモニタ部のみが有しているが、図７に示すように本体部１０１及びモニタ部２夫々に表示部１１８、２０を設けても良い。また、操作部は、本体部が有する外面の中央部に設けられているが、これに限るものではなく、第１軸部４１の軸線を含む対称面αに関して、対称となる箇所に操作部１０５を設けても良い。つまり、本体部１０１を正立させた状態で、本体部１０１が有する外面１０１ａにおいて、左右対称となる箇所に、同じ操作を受け付ける２つの操作部１０５ａ、１０５ｂを設けても良い。更に、表示部１１８の表面にタッチパネルを設け、タッチパネルにより操作部を実現しても良い。
【００５９】
このように構成される撮像装置にあっては、図７に示すように、背面視で本体部１０１の右側にモニタ部２を配置した場合、撮像装置の背面側及び正面側の両方向から撮像状態を確認することができる。例えば、撮像者が人物を撮像する場合、撮像者のみならず、撮像されている被撮像者も撮像状態を確認することができ、撮像者及び被撮像者双方が所望する撮像画像を得ることができる。
【００６０】
また、操作部１０５ａ、１０５ｂは、本体部１０１の左右対称となる箇所に設けられているため、撮像者が左手で操作部１０５ｂを操作する場合であっても、撮像者が右手で操作部１０５ａを操作する場合と同程度の操作性を得ることができる。
【００６１】
図８は、実施の形態で示した撮像装置の変形例を模式的に示す正面図である。図８（ｂ）中、２０１は、略長方形断面を有する本体部であり、本体部２０１が有する一方の短辺２０１ｄの中央部から、第１軸部２４１の径方向に突出した凸状部分２０１ｅを有し、凸状部分２０１ｅの外面においてレンズ２１０ａを露出している。本体部２０１の外面のうち、レンズ２１０ａが露出している側の外面２０１ｂに、連結部２０３が対向配置している。連結部２０３は、レンズ２１０ａを覆わない中心部と、中心部から、第１軸部２４１の径方向に突出し、レンズ２１０ａを覆うカバー部２０３ｃとを備えている。中心部は、第１軸部２４１を中心として拡がる連結部２０３の部分のうち、レンズ２１０ａの外縁まで達しない部分である。連結部２０３は、実施の形態で示したように本体部２０１及びモニタ部２０２に連結している。第１軸部２４１は、実施の形態で示した第１軸部と同様な構造を有している。
【００６２】
このように構成される撮像装置にあっては、連結部２０３を非回動の状態、つまり、図８（ａ）に示すように、モニタ部２０２が本体部２０１に対して閉じた状態になるように配置した場合、レンズ２１０ａをカバー部２０３ｃで覆うことができる。また、連結部２０３を回動の状態、つまり、図８（ａ）に示した状態から、第１軸部２４１を回動軸として、モニタ部２０２を、矢印方向（正面視で反時計回り）に回動し、モニタ部２０２を本体部２０１に対して開いた場合、モニタ部２０２を開閉すると同時に、レンズ２１０ａを開くことができる。なお、この場合、モニタ部２０２の表示部２２０は、撮像者側を向いているため、直ちに撮像を開始することができる。
【図面の簡単な説明】
【００６３】
【図１】本発明に係る撮像装置を模式的に示した図である。
【図２】撮像装置の内部構成を示すブロック図である。
【図３】第２軸部及び第３軸部を回動軸として、モニタ部を本体部に対して回動させた状態を模式的に示す斜視図である。
【図４】第１軸部を回動軸として、モニタ部を本体部に対して時計回りに回動させ、左側に配置させた状態を模式的に示す背面図である。
【図５】第１軸部を回動軸として、モニタ部を本体部に対して反時計回りに回動させ、右側に配置した状態を模式的に示す背面図である。
【図６】第１軸部を回動軸として、モニタ部を本体部に対して回動させ、上側に配置した状態を模式的に示す背面図である。
【図７】実施の形態で示した撮像装置の変形例を模式的に示す背面図である。
【図８】実施の形態で示した撮像装置の変形例を模式的に示す正面図である。
【図９】従来の撮像装置を模式的に示す斜視図である。
【符号の説明】
【００６４】
１  本体部
２  モニタ部
３  連結部
５ａ、５ｂ  操作部
１０  撮像部
１０ａ  レンズ
１０ｂ  撮像素子
１１  把持部
４１  第１軸部
４２  第２軸部
４３  第３軸部
２０３ｃ  カバー部
【図１】
2005184559.tif 000003
【図２】
2005184559.tif 000004
【図３】
2005184559.tif 000005
【図４】
2005184559.tif 000006
【図５】
2005184559.tif 000007
【図６】
2005184559.tif 000008
【図７】
2005184559.tif 000009
【図８】
2005184559.tif 000010
【図９】
2005184559.tif 000011